(57)【要約】本発明は、複数の出口開口部（４、５）を有する、還元剤（２）を排気ガスシステム（３）に供給するための注入ノズル（１）であって、前記出口開口部（４、５）の各々によって、前記還元剤（２）の異なる液滴（６、７）が生成され得る、注入ノズル（１）に関する。排気ガス処理ユニット（１５）および少なくとも１つの対応する注入ノズル（１）を有する、排気ガスを処理するための装置（１４）であって、出口開口部（４、５）の少なくとも２つの群（１１、１２）が、排気ガス処理ユニット（１５）上に異なる衝突領域（１６、１７）を形成する、装置（１４）もまた提案される。【選択図】図１
2012533704.tif 000002
【特許請求の範囲】
【請求項１】
複数の出口開口部（４、５）を有する、還元剤（２）を排気ガスシステム（３）に供給するための注入ノズル（１）であって、前記出口開口部（４、５）によって、各々の場合、前記還元剤（２）の異なる液滴（６、７）が生成され得る、前記出口開口部（４、５）が設けられる、注入ノズル（１）。
【請求項２】
異なる断面（８、９）の前記出口開口部（４、５）が設けられる、請求項１に記載の注入ノズル（１）。
【請求項３】
前記出口開口部（４、５）はスプレーディスク（１０）によって形成される、請求項１または２に記載の注入ノズル（１）。
【請求項４】
前記注入ノズル（１）上の出口開口部（４、５）の少なくとも２つの群（１１、１２）が分離される、請求項１〜３のいずれか一項に記載の注入ノズル（１）。
【請求項５】
全ての前記出口開口部（４、５）は単一の供給ダクト（１３）によって接続されている、請求項１〜４のいずれか一項に記載の注入ノズル（１）。
【請求項６】
排気ガス処理ユニット（１５）および請求項１〜５のいずれか一項に記載の少なくとも１つの注入ノズル（１）を有する、排気ガスを処理するための装置（１４）であって、出口開口部（４、５）の少なくとも２つの群（１１、１２）が、前記排気ガス処理ユニット（１５）上に異なる衝突領域（１６、１７）を形成する、装置（１４）。
【請求項７】
前記少なくとも１つの注入ノズル（１）は、前記排気ガス処理ユニット（１５）上のより遠い第１の衝突領域（１６）に大きな第１の液滴（６）を付与でき、前記排気ガス処理ユニット（１５）上のより近い第２の衝突領域（１７）に小さな第２の液滴（７）を付与できる、請求項６に記載の装置（１４）。
【請求項８】
前記少なくとも１つの注入ノズル（１）は、排気ガスの流れ方向（１８）において前記排気ガス処理ユニット（１５）の下流に配置され、前記排気ガス処理ユニット（１５）の後方面側（１９）の方向を向く、請求項６または７に記載の装置（１４）。
【請求項９】
ガイド（２７）が前記少なくとも１つの注入ノズル（１）に設けられる、請求項６〜８のいずれか一項に記載の装置（１４）。
【発明の詳細な説明】
【技術分野】
【０００１】
本発明は還元剤を排気ガスシステムに供給するための注入ノズルに関し、さらに、少なくとも１つの注入ノズルを有する、排気ガス処理ユニットを有する、排気ガスを処理するための装置に関する。この種のシステムは、特に排気ガスの窒素酸化物含有量を減少させるために、特に制御された形態で排気ガスシステムにアンモニア水溶液を加えるために使用される。
【背景技術】
【０００２】
特に、尿素水溶液および適切な触媒を用いて排気ガス中の窒素酸化物を変換するための１つの方法は、例えば「ＳＣＲ法」（選択的触媒反応）という名称で知られている。
【０００３】
一般的に、ＳＣＲ反応に必要とされるアンモニアは、直接使用されない。すなわち、純粋な形態ではなく、３２．５％の尿素水溶液の形態で使用され、それはまたＡｄＢｌｕｅ（登録商標）という名称で得られ得る。この水溶液は、例えば定量ポンプまたは注入器によって、ＳＣＲ触媒の排気部分前方に注入される。
【０００４】
このプロセスにおいて、尿素水溶液はアンモニアに変換され、排気ガスと一緒にＳＣＲ触媒を通過する。尿素水溶液のアンモニアへの変換は、熱分解および／または加水分解によってなされ得る。尿素水溶液は熱分解の間加熱され、対応する尿素水溶液の分解を生じるのに対して、加水分解の目的はアンモニアを得るための尿素の触媒的に活性化された反応である。熱分解において、尿素水溶液と接触する外部加熱素子が提供され得る。しかしながら、尿素水溶液の高温排気ガスへの微粉化した注入によって所望の温度を達成することも可能である。加水分解において、適切な加水分解触媒が提供され、尿素水溶液は排気ガスと一緒に尿素水溶液と接触するか、または代替として、尿素水溶液は排気ガスの外側にもたらされる。この場合、尿素水溶液の一部は、排気ガスを運ぶ排気ガスシステムに供給され、その結果として、アンモニアへの変換が排気ガスの存在下で起こる。
【０００５】
このプロセスの間に起こる反応は以下のように表され得る：
尿素水溶液の加水分解：
熱分解：（ＮＨ２）２ＣＯ  →  ＮＨ３  ＋  ＨＮＣＯ  （イソシアン酸）
加水分解：ＨＮＣＯ  ＋  Ｈ２Ｏ  →  ＮＨ３  ＋  ＣＯ２
【０００６】
特に、アンモニアおよびＣＯ２は尿素水溶液から形成される。このように生成されるアンモニアは特別なＳＣＲ触媒において適切な温度にて排気ガス中で窒素酸化物と反応し得る。実質的にＳＣＲ触媒の２つの種類が存在する。一方の種類は実質的に二酸化チタン、五酸化バナジウムおよび酸化タングステンからなる。もう一方の種類はゼオライトを使用する。
【０００７】
窒素酸化物の還元：
４ＮＨ３  ＋  ４ＮＯ  ＋  Ｏ２  →  ４Ｎ２  ＋  ６Ｈ２Ｏ  （「標準的なＳＣＲ」）；
２ＮＨ３  ＋  ＮＯ  ＋  ＮＯ２  →  ２Ｎ２  ＋  ３Ｈ２Ｏ  （「高速ＳＣＲ」）；
４ＮＨ３  ＋３ＮＯ２  →  ３．５Ｎ２  ＋  ６Ｈ２Ｏ  （「ＮＯ２  ＳＣＲ」）。
【０００８】
注入される尿素の量は、内燃エンジンの窒素酸化物の放出、およびそれによるエンジンの瞬間の速さおよびトルクに応じて制御される。ディーゼルエンジンからのそのままの排出に応じて、尿素水溶液の消費は使用されるディーゼル燃料の約２〜８％である。測定される量が非常に少ない場合、窒素酸化物レベルの効率は落ちる。非常に多くの尿素が測定される場合、それによって生成されるアンモニアはＮＯｘと反応できず、環境中に出ていき得る。アンモニアは刺激臭を有し、非常に低い濃度でさえ知覚できるので、過剰に測定される（ｏｖｅｒｍｅｔｅｒｉｎｇ）場合、自動車の近くで不快な臭いを生じる。ＳＣＲ触媒の後方に酸化触媒をフィッティングすることによって改善が提供され得る。
【０００９】
還元剤の注入位置に関して、多くのバリエーションが既に議論されている。従って、尿素水溶液は、例えば、混合要素の上流、混合要素の下流、渦流室の領域、ＳＣＲ触媒の上流、排気ガス処理ユニットの下流などに加えられてもよい。各々の場合、ここで目的とする点は、排気ガスストリームにおいて、可能な限り、還元剤の均一または高速の混合を達成することであり、それにより、反応剤が触媒を流れる場合、十分な量で利用できることが確保される。これに関して、一方で、可能な限り迅速かつ完全に蒸発させ、他方で、排気ガス中に広まっているそれぞれの状態を許容しながら、排気ガスストリーム中に均一な分布が存在しなければならないという問題について既にいくつか議論されている。排気ガスの温度、排気ガスの流動作用および排気ガスの組成はここで重要な役割を果たす。
【００１０】
多くの異なる排気ガスシステムに関して、今まで、特に低水準の技術的複雑性を用いて、大部分の異なる排気ガスシステムに対してこれらを完全に満たすことはできなかった。これに関して、自動車構造に既存の排気ガスシステムを組み込むことは特に非常に困難である。
【発明の概要】
【発明が解決しようとする課題】
【００１１】
これらを出発点として考慮して、本発明の目的は、従来技術に関して説明した問題を少なくとも部分的に解決することである。特に、本発明は、簡単な構造であり、排気ガスシステムにおける流れ状態に対して可変または適合した還元剤を供給することを可能にする、注入ノズルを特定する。さらに、本発明は、還元剤の変換または還元剤の蒸発を可能な限り完全にする排気ガスシステムにおける注入ノズルの特に好ましい配置を特定する。
【課題を解決するための手段】
【００１２】
これらの目的は請求項１の特徴に係る注入ノズルによって達成される。さらなる有益な実施形態および開発は従属請求項として特許請求の範囲に記載される。特許請求の範囲に個々に示される特徴は任意の技術的に有意な方法で組み合わされてもよく、本発明のさらなる実施形態を形成してもよいことは留意されるべきである。特に図面と併せた詳細な説明は本発明を説明し、同様にさらなる変形実施形態も示す。
【００１３】
還元剤を排気ガスシステムに供給するための本発明に係る注入ノズルは、複数の出口開口部を有し、その出口開口部によって、各々の場合、還元剤の異なる液滴が生成され得る、開口部が設けられる。
【００１４】
注入ノズルは通常、接続領域を有し、それによって、注入ノズルは還元剤供給システムに接続され得る。この目的のために、注入ノズルは一般に、保持領域を有し、それによって、注入ノズルは例えば排気ガスシステムの排気パイプに固定され得る。この保持領域は、高温の排気ガスシステムからの注入ノズルの熱分離を可能にするために、追加的な断熱手段を有してもよい。注入ノズルはさらに、概して排気ガスシステム内に配置される添加領域を有する。この添加領域において、複数の出口開口部がここでまた設けられ、それによって、還元剤が例えば３〜３０バールの圧力で排気管内に注入され得る。
【００１５】
本明細書で提案されている注入ノズルの場合において、出口開口部によって、各々の場合、還元剤の異なる液滴が生成され得る、出口開口部がここで提供される。すなわち、このことは、特に、注入ノズルが作動している場合、例えば還元剤の所定の圧力で注入ノズルから異なるサイズの液滴が所定の期間、同時に出現することを意味する。この場合、少なくとも２つの異なる種類の液滴または液滴のサイズが生成される。原則として、出口開口部によって複数の異なる液滴が同時に形成できることが好ましい。同じ注入ノズルを用いて異なる液滴を供給することにより、特に排気ガスパラメータを考慮して、目的とする液滴の飛行経路が可能となる。例えば、還元剤のそれぞれの液滴についての衝突領域が特定される場合、液滴の種類は、それらが、正確に標的とする形態で（異なる飛行経路に沿って）衝突領域に到達するように、（例えば排気ガスストリームに対する長さまたは角度に応じて）注入されるように選択され得る。注入ノズルまたは異なる出口開口部の適切な配置により、特に、様々な可能性のある変形および高い標的精度での簡単な取り付けが可能となる。
【００１６】
これに関して特に好ましい選択は、異なる断面の出口開口部を提供することである。
例えば、出口開口部が穴の種類である場合を考慮すると、異なる出口開口部が異なる穴の断面で実現されてもよい。しかしながら、還元剤の流れ方向において先細状または幅広状である断面を有する少なくとも一部の出口開口部が設けられてもよい。それらの種類の断面の組み合わせも、もちろん可能である。加えて、例えば、断面を介する出口開口部の方向すなわち還元剤の流れの方向が変更されてもよい。
【００１７】
特に簡単な構造の注入ノズルを得るために、出口開口部がスプレーディスクによって形成されることもさらに提案される。この場合、注入ノズルの本体は多くの使用のために保持され得る。例えば、適切なスプレーディスクが特定の用途のために提供されてもよい。さらに、スプレーディスクは、適切な場合、注入ノズルに対して回転されてもよく、注入ノズルまたは排気ガスシステムに対する出口開口部の位置が変更されてもよい。スプレーディスクは平らな設計でなくてもよく、ここで、適切な場合、湾曲したスプレーディスクを用いてもよい。同様に、互いに対して２つのスプレーディスクを回転させることによって特定の断面の出口開口部を形成するために、または注入ノズルもしくは排気ガスシステムの作動中でさえも、還元剤の異なる液滴を生成できるようにするために、複数のスプレーディスクを互いに直接配置してもよい。
【００１８】
１つの発展によれば、注入ノズル上の出口開口部の少なくとも２つの群は分離される。すなわち、これはまた、各々の場合において、ただ１種類の出口開口部が設けられる領域を特定できることを意味する。従って、これに関して、「分離される」とは特に、少なくとも２つの群が互いに空間的に区切られているか、または離間していることを意味する。特定の場合、特に、同一の出口開口部がいくつかの群に配置されるように、さらなる群が設けられてもよい。このように、特に、注入方向またはそれぞれに生成される注入ジェットは互いから分離され、作動中に互いに対していかなる顕著な不都合な作用も有さないことが確保できる。
【００１９】
さらに、全ての出口開口部が単一の供給ダクトによって接続されることもまた提案される。供給ダクトは円筒形および／または環状の設計であり、概して、出口開口部まで注入ノズルの中心軸に沿って延びる。従って、供給チャネルもまた、還元剤供給システムに接続される。このことから、共通の単一の供給ダクトに存在する場合、全ての出口開口部において同じ供給圧力が存在することが理解できる。供給ダクトは、必要に応じてピン、フラップなどによって開口され、閉じられてもよく、例えば、それによって、出口開口部に対する還元剤の供給を制御する。これはまた、注入ノズルのための特定の簡単な構造を提供する。
【００２０】
注入ノズルの特に好ましい使用において、排気ガスを処理するための装置は、排気ガス処理ユニットおよび本発明に記載される種類の少なくとも１つの注入ノズルを有し、出口開口部の少なくとも２つの群は、排気ガス処理ユニット上に異なる衝突領域を形成する、装置が提案される。通常、この種類の注入ノズルは、次いで、排気ラインに傾斜して挿入され、その結果として、その中心軸はまた、例えば、排気ガス処理ユニットの１つの面側に傾斜して向く。
【００２１】
原則として、ここで、この種類の注入ノズルを排気ガス処理ユニットの上流および／または下流に配置してもよい。排気ガス処理ユニットの上流の位置に設けられる場合、取り付けは排気ガスの流れ方向である。反対の場合、すなわち、還元剤が排気ガス処理ユニットの後方面側に付与される場合、取り付けは流れ方向に対向する。
【００２２】
ここで、可能な限り均一なように還元剤による排気ガス処理ユニットの湿潤を達成するために、特に、排気ガスの流動作用を考慮して、排気ガス処理ユニットの面側からの注入ノズルの距離に応じてジェットを扇形に広げることを必要とする。この場合、本発明による注入ノズルは、ここで、排気ガス処理ユニット上の様々な衝突領域または液滴の自由な飛行経路の各々に関して特別に具現化された出口開口部の群を提供する可能性を与える。出口開口部の特定の実施形態は、特に、排気ガスの流動作用または排気ガスのストリームにおける還元剤の飛行作用を考慮し得る。従って、液滴サイズ、噴霧方向などは、出口開口部の両方の群に適合され得る。
【００２３】
（時間に関して）均一な方法での排気ガス処理ユニットの湿潤により、面側の領域における排気ガス処理ユニットの熱質量が均一に利用されることが確保され、還元剤の対応する均一および迅速な蒸発が得られる。加えて、これは、特に、排気ガス処理ユニットの部分的領域の集中的な湿潤が、排気ガス処理ユニットの触媒活性に特に負の作用を有し得る、排気ガス処理ユニットの冷却を生じる状態を回避する。さらに、このような排気ガス処理ユニットはまた、気体の還元剤を供給するための特定のバッファーを形成する、ある種類の保存コーティングを形成できる。ここで、また、排気ガス処理ユニットの利用は可能な限り均一であるべきことが意図される。
【００２４】
還元剤が排気ガス処理ユニットの上流に付与される場合、排気ガス処理ユニットは、例えば粒子フィルタおよび／または加水分解触媒であってもよい。これはまた、好ましくは、還元剤の下流の供給に適用され、（適切な場合のみ）それぞれの衝突領域は触媒を有して、または代替として触媒を有さずに実現されてもよい。
【００２５】
この装置において、少なくとも１つの注入ノズルは、大きな第１の液滴をより遠い第１の衝突領域に付与でき、小さな第２の液滴を排気ガス処理ユニット上のより近い第２の衝突領域に付与できることがさらに好ましい。従って、ここで、異なる出口開口部の２つの群が対応して形成され、第１の群は大きな第１の液滴を生成する。これらの大きな第１の液滴は、比較的長い距離にわたって排気ガスのストリームを通過しなければならず、ここで、その目的は、排気ガスの流れの作用が、大きな液滴の供給によって最小化されることを確保することである。より近い衝突領域の場合、小さい第２の液滴が生成され、それらは排気ガスの流れによって扇形に広がり得るので、端部に近接している排気ガス処理ユニットの面側の部分領域にも到達できる。
【００２６】
少なくとも１つの注入ノズルが、排気ガスの流れ方向において排気ガス処理ユニットの下流に配置され、排気ガス処理ユニットの後方面側の方を向く場合、特に有益であることが見出された。従って、この場合、還元剤の添加は流れ方向に対向して行われるので、注入ノズルのスプレージェットもまた特にここで影響を与え得る。正確には、この場合、排気ガスのストリームにおける還元剤の特定の飛行作用は、出口開口部の異なる設計を介して得られ得るので、特に全体を均一にすることが意図されるように、排気ガス処理ユニットの後方面側の湿潤が確保される。
【００２７】
装置はさらに、ガイドが少なくとも１つの注入ノズルに設けられる場合、特に有益であるとみなされる。特に、ガイドは、排気ガスシステムにおける注入ノズルの方向性のある取り付けのための手段を表し、例えば、注入ノズルの後での調節が適切な場合、調節手段などにより、その調節が可能となる。
【００２８】
本発明は特に、内燃エンジンを有する自動車において使用され得、流れ方向において排気ガスシステムの下流に、排気ガス処理ユニットが最初に全て設けられ、次いで少なくとも１つの注入ノズルおよびその後にＳＣＲ触媒が提供される。少なくとも１つの注入ノズルは、例えば還元剤ラインによってポンプおよび還元剤のためのタンクに接続される。この場合、注入ノズルまたは還元剤ラインからタンクまでの戻りラインが同様に提供されてもよく、適切なバルブが提供されなければならない。注入ノズルの制御は、例えば内燃エンジンのための管理システムに組み込まれる、制御ユニットの作用に関与し得る。排気ガスシステムはさらに、適切な制御された還元剤、特に尿素水溶液の付加を可能にするために、センサ、さらなる排気ガス処理ユニットなどを有してもよい。
【００２９】
本発明および技術関係は図面を参照して以下により詳細に説明する。図面は特定の好ましい実施形態を示すが、それは本発明に対する限定ではないことは留意されるべきである。
【図面の簡単な説明】
【００３０】
【図１】本発明に係る注入ノズルの第１の変形実施形態の断面図である。
【図２】排気ガスシステムにおける注入ノズルの構成の詳細である。
【図３】この種類の注入ノズルを用いた液滴分布の実施形態である。
【図４】種々の出口開口部を有するスプレーディスクである。
【図５】複数の注入ノズルを有する排気ガス処理ユニットの後面図である。
【発明を実施するための形態】
【００３１】
図１は注入ノズル１の概略的な前部の詳細を示し、還元剤２は単一の中心供給ダクト１３を介して示した流れの方向（矢印を参照のこと）において注入ノズル１の先端に対して供給される。第１の出口開口部４および第２の出口開口部５が先端に設けられる。第１の出口開口部４は、第２の出口開口部５の第２の断面９とは異なって具現化される、第１の断面８を有する。この場合、第１の断面８は著しく大きく製造される。第１の出口開口部４および第２の出口開口部５はまた、（点線によって示すように）噴霧方向に関して異なる。供給ダクト１３における既定の圧力での還元剤２の供給の間、還元剤２は、第１の出口開口部４および第２の出口開口部５の両方を通して同時に流れ、各場合において異なる液滴が生成される。それらは特に排気ガスのストリームにおける飛行経路に関して異なる。
【００３２】
次に、図２は、排気ガスを処理するための装置１４におけるこの種類の注入ノズル１の好ましい構成を示す。ここで、排気ガスシステム３は、流れの方向１８において排気ガスが最初に排気ガス処理ユニット１５を通して流れるように構成される。排気ガス処理ユニット１５は、（好ましくは）ハニカム体の形態で実現され、少なくとも部分的に粒子フィルタおよび／または加水分解触媒として実現されてもよい。従って特に、排気ガス処理ユニット１５の後方面側１９（のみ）が、還元剤２のための貯蔵材料および／または触媒材料を形成してよい。
【００３３】
ここで、（単一の）注入ノズルは、ガイド２７におい斜角で排気ガス処理ユニット１５の後方面側１９の方向を向く。複数の出口開口部を有する注入ノズルの構成のために、各場合において、還元剤２の異なる液滴が生成され得、異なるサブジェットが形成され得る。例示において、第１の出口開口部から生じる第１のサブジェットは大きな第１の液滴６を形成し、その第１の液滴６は第１の衝突領域１６に衝突し、ここで、第１の液滴６は、後方面側１９の面側に到達するように排気ガスの流れに対して比較的長距離を飛行しなければならない。排気ガスの流れによるこの飛行経路への影響が少なくてすむように、ここで好ましくは比較的大きな液滴が使用される。排気ガス処理ユニット１５の後方面側１９上の第２の衝突領域１７としてここで示した、より近い領域は、注入ノズル１の第２の出口開口部によって生成される、より小さな第２の液滴７で同様の作用を達成できる。このように、特にまた、液滴のジェットを扇形に広げることを確保でき、それによりまた、端部に近接する領域を湿潤することができる。代替として大きな角度を使用してもよい。この場合において、異なる負荷状態における内燃エンジンの作動中、可能な限り正確な噴霧パターンを生成するために、注入ノズル１は好ましくは、液滴が依然として排気ガス処理ユニット１５からの排気ガスの流出領域に位置するように配置される。このことは特に、排気ガス処理ユニット１５を流れた後、排気ガスは依然として実質的に層流を有することを意味し、ここで、この領域は特に、多くて６０ｍｍ、適切な場合、少なくて４０ｍｍの幅にわたる。注入ノズルのこの設計により、排気ガス処理ユニット１５の後方面側１９に対する様々な衝突領域の均一の湿潤が、出口開口部の数、方向および／または断面に起因して生じることが確保される。
【００３４】
図３はこの種類の注入ノズルの噴霧パターンを例示することを目的とする。その図は、液滴の数２６が液滴のサイズ２５に対して示される図である。平均して所定の第２のサイズの第２の液滴７は比較的多い数２６で生成されることがその図の左側で見られ得る。しかしながら、さらにおよび同時に、より少ない数２６であるが、より大きなサイズ２５を有する（同じ）量の第１の液滴６もまた供給される。もちろん、注入ノズルを用いてさらなる液滴のサイズを達成してもよく、適切な場合、それぞれの液滴サイズの（部分的）重なりが可能である。しかしながら、液滴サイズの明らかな相違が好ましい。
【００３５】
このような異なる液滴を得るために、例えば図４に例示した種類のスプレーディスク１０が使用され得る。この場合、プレートの形態である円形のスプレーディスク１０は、その全体領域にわたって出口開口部を有さないが、代わりに、ここで、異なる出口開口部からなる２つの別の群が形成される。このように、第２の出口開口部５を含む第２の群１２は、例えばスプレーディスク１０の端部に近接する弧のセグメントの形態の領域で形成される。ここで、複数の第２の出口開口部５は全て同一の設計であり、特に、同じ第２の断面９を有する。さらに、スプレーディスク１０の中心領域内に、第１の出口開口部４を含む第１の群１１が同様の趣旨で形成される。この場合、出口開口部の数は顕著に少なく製造され、第１の出口開口部４は顕著に大きい第１の断面８を形成する。出口開口部の群の非対称配置は、特に、注入ノズルの傾斜した取り付けを考慮しているので、必要不可欠というわけではない。
【００３６】
図５は排気ガス処理ユニットの概略的な後面図を示し、そのユニットは複数、この場合４つの注入ノズルによって湿潤される。従って、この場合、後方面側１９を単一のノズル２３によって均一に湿潤することはできず、対照的に、ここで４つのノズルが必要とされる。ノズル２３の少なくとも１つは、添加領域２０（各場合において後方面側１９上で達成され得る最大領域）を拡大するために、動くことができる、すなわち、回転できるように配置されるように提供され得る。ノズル２３または注入ノズル１の全ては、ライン２４によって制御ユニット２１に接続され、その制御ユニット２１は特にノズルのための開口時間を指定する。特定の添加領域２０を下側に示す。ここで、注入ノズル１は複数の異なる出口開口部を有し、従って、それらは特に、添加方向２２および液滴のサイズに関して異なる。１つの添加領域は出口開口部の各群について規定され、液滴のサイズおよび／または添加方向２２は流れの状態に適合する。
【００３７】
ここで提案される注入ノズルに関して、特に既存の排気ガスシステムに適切に取り付ける場合、排気ガス処理ユニットの後方面側の均一の湿潤が特に、簡単かつ効果的な方法で達成される。
【符号の説明】
【００３８】
１  注入ノズル
２  還元剤
３  排気ガスシステム
４  第１の出口開口部
５  第２の出口開口部
６  第１の液滴
７  第２の液滴
８  第１の断面
９  第２の断面
１０  スプレーディスク
１１  第１の群
１２  第２の群
１３  供給ダクト
１４  装置
１５  排気ガス処理ユニット
１６  第１の衝突領域
１７  第２の衝突領域
１８  流れ方向
１９  後方面側
２０  添加領域
２１  制御ユニット
２２  添加方向
２３  ノズル
２４  ライン
２５  サイズ
２６  数
２７  ガイド
【図１】
2012533704.tif 000003
【図２】
2012533704.tif 000004
【図３】
2012533704.tif 000005
【図４】
2012533704.tif 000006
【図５】
2012533704.tif 000007
【国際調査報告】
2012533704.tif 000008
2012533704.tif 000009
2012533704.tif 000010
2012533704.tif 000011
2012533704.tif 000012
2012533704.tif 000013